(57)【要約】【課題】安全性をより高めることができるガスメータを提供する。【解決手段】ガスメータ１は、ＣＰＵ３０が、遮断部１２によるガスの遮断について複数の流量区分の全てにおいて無効とする要求があったとき、拡張２設定フラグＪ２を「有り」に設定し、かつ、個別設定フラグテーブルＪ３に含まれる複数の個別設定フラグの全てを「無効」に設定する。また、ＣＰＵ３０が、遮断部１２によるガスの遮断について複数の流量区分のうちの一部の流量区分について「有効」とする要求があったとき、拡張２設定フラグＪ２が「有り」に設定されていれば、上記一部の流量区分について個別設定フラグを「有効」に設定し、拡張２設定フラグＪ２が「無し」に設定されていれば、複数の個別設定フラグの設定を変更しない。そして、遮断部１２が、個別設定フラグが「有効」に設定されている流量区分についてのみガスの遮断を行う。【選択図】図１
2014240764.tif 000002
【特許請求の範囲】
【請求項１】
ガスについての複数の流量区分毎に設定された複数の使用時間遮断値が記憶された使用時間遮断値記憶手段と、前記流量区分毎に継続使用時間を計測する継続使用時間計測手段と、前記継続使用時間計測手段によって計測された前記継続使用時間が当該継続使用時間の前記流量区分に対応して設定された前記使用時間遮断値を超えたとき前記ガスの遮断を行う遮断手段と、を備えたガスメータであって、
前記遮断手段による前記ガスの遮断について前記複数の流量区分の全てにおいて無効とする要求があったことを示す全部無効フラグが記憶される全部無効フラグ記憶手段と、
前記遮断手段による前記ガスの遮断について前記複数の流量区分毎に「有効」であるか又は「無効」であるかを示す、当該複数の流量区分毎に設けられた複数の個別設定フラグが記憶される個別設定フラグ記憶手段と、
前記遮断手段による前記ガスの遮断について前記複数の流量区分の全てにおいて無効とする要求があったとき、前記全部無効フラグを「要求有り」に設定し、かつ、前記複数の個別設定フラグの全てを「無効」に設定する全部無効設定手段と、
前記遮断手段による前記ガスの遮断について前記複数の流量区分のうちの一部の流量区分について「有効」とする要求があったとき、前記全部無効フラグが「要求有り」に設定されていれば、前記一部の流量区分について前記個別設定フラグを「有効」に設定し、前記全部無効フラグが「要求有り」に設定されていなければ、前記複数の個別設定フラグの設定を維持する個別設定手段と、をさらに備え、
前記遮断手段が、前記個別設定フラグが「有効」に設定されている前記流量区分についてのみ前記ガスの遮断を行うように構成されている
ことを特徴とするガスメータ。
【発明の詳細な説明】
【技術分野】
【０００１】
本発明は、ガスについての複数の流量区分毎の継続使用時間を計測して、当該継続使用時間が当該複数の流量区分毎に設定された複数の使用時間遮断値を超えたときガスの遮断を行う使用時間遮断機能を備えたガスメータに関する。
【背景技術】
【０００２】
ガスメータは、ガス供給源とガス器具とを接続するガス管路を流れるガスの流量を流量センサによって周期的に計測しており、ガスの現在の流量を瞬時に計測することができるものがある。また、ガスメータにはガスの流量を計測する機能の他に、使用時間遮断機能という保安機能が設けられている（例えば、特許文献１）。
【０００３】
この使用時間遮断機能とは、使用されている流量、具体的には、所定の流量範囲ごとに区切られた流量区分に対して継続使用時間を計測し、この継続使用時間が、予め定められた制限時間（使用時間遮断値）を超えた場合には、ガス供給を停止（遮断）させるというものである。また、使用時間遮断値は、流量区分毎に設定されており、流量変化に応じて流量区分が他の流量区分に切り替わると、継続使用時間はリセットされたのち再度計測が開始される。
【０００４】
このようなガスメータにおいて、使用時間遮断値は、各流量区分のそれぞれに予め下限値及び上限値が設定されている。そして、ガスメータは、設置環境や使用環境に応じて各流量区分の使用時間遮断値として、例えば、各流量区分に設定された上限値を使用する設定（使用時間遮断値上限値固定設定）や、消し忘れ対策のため所定の流量区分（流量区分３以上など）において一律上記下限値以下の値を使用する設定（使用時間遮断値下限値以下固定設定）などがされる。また、ガスメータにおいては、例えば、リゾート施設や業務用施設に対応するため、ガス漏れ警報器と連動することを条件として全ての流量区分において使用時間遮断機能を無効として継続使用時間を無制限とする設定（「拡張２設定」とも呼ばれる）が設けられている。
【先行技術文献】
【特許文献】
【０００５】
【特許文献１】特開２０１３−４０９０９号公報
【発明の概要】
【発明が解決しようとする課題】
【０００６】
しかしながら、例えば、ガスを燃料として発電を行う家庭用燃料電池コージェネレーションシステムのように、限定された流量区分だけが継続して使用される環境においては、そのような流量区分以外の流量区分においては継続使用時間による遮断機能により安全性を高めたいという要請があった。
【０００７】
本発明は、上記課題に係る問題を解決することを目的としている。即ち、本発明は、安全性をより高めることができるガスメータを提供することを目的としている。
【課題を解決するための手段】
【０００８】
請求項１に記載された発明は、上記目的を達成するために、ガスについての複数の流量区分毎に設定された複数の使用時間遮断値が記憶された使用時間遮断値記憶手段と、前記流量区分毎に継続使用時間を計測する継続使用時間計測手段と、前記継続使用時間計測手段によって計測された前記継続使用時間が当該継続使用時間の前記流量区分に対応して設定された前記使用時間遮断値を超えたとき前記ガスの遮断を行う遮断手段と、を備えたガスメータであって、前記遮断手段による前記ガスの遮断について前記複数の流量区分の全てにおいて無効とする要求があったことを示す全部無効フラグが記憶される全部無効フラグ記憶手段と、前記遮断手段による前記ガスの遮断について前記複数の流量区分毎に「有効」であるか又は「無効」であるかを示す、当該複数の流量区分毎に設けられた複数の個別設定フラグが記憶される個別設定フラグ記憶手段と、前記遮断手段による前記ガスの遮断について前記複数の流量区分の全てにおいて無効とする要求があったとき、前記全部無効フラグを「要求有り」に設定し、かつ、前記複数の個別設定フラグの全てを「無効」に設定する全部無効設定手段と、前記遮断手段による前記ガスの遮断について前記複数の流量区分のうちの一部の流量区分について「有効」とする要求があったとき、前記全部無効フラグが「要求有り」に設定されていれば、前記一部の流量区分について前記個別設定フラグを「有効」に設定し、前記全部無効フラグが「要求有り」に設定されていなければ、前記複数の個別設定フラグの設定を維持する個別設定手段と、をさらに備え、前記遮断手段が、前記個別設定フラグが「有効」に設定されている前記流量区分についてのみ前記ガスの遮断を行うように構成されていることを特徴とするガスメータである。
【発明の効果】
【０００９】
請求項１に記載された発明によれば、全部無効フラグ記憶手段には、遮断手段によるガスの遮断について複数の流量区分の全てにおいて無効とする要求があったことを示す全部無効フラグが記憶される。個別設定フラグ記憶手段には、遮断手段によるガスの遮断について複数の流量区分毎に「有効」であるか又は「無効」であるかを示す、当該複数の流量区分毎に設けられた複数の個別設定フラグが記憶される。そして、全部無効設定手段が、遮断手段によるガスの遮断について複数の流量区分の全てにおいて無効とする要求があったとき、全部無効フラグを「要求有り」に設定し、かつ、複数の個別設定フラグの全てを「無効」に設定する。個別設定手段が、遮断手段によるガスの遮断について複数の流量区分のうちの一部の流量区分について「有効」とする要求があったとき、全部無効フラグが「要求有り」に設定されていれば、上記一部の流量区分について個別設定フラグを「有効」に設定し、全部無効フラグが「要求有り」に設定されていなければ、複数の個別設定フラグの設定を変更せずに現状を維持する。遮断手段が、個別設定フラグが「有効」に設定されている流量区分についてのみガスの遮断を行う。
【００１０】
このようにしたことから、全ての流量区分において使用時間遮断機能を無効として継続使用時間を無制限とする要求（即ち、拡張２設定の要求）があったときに、当該要求があったことを示す全部無効フラグを「要求有り」に設定するとともに、複数の流量区分毎に設けられた、遮断手段によるガスの遮断について複数の流量区分毎に「有効」であるか又は「無効」であるかを複数の個別設定フラグの全てを「無効」に設定するので、その後、遮断手段が、個別設定フラグが「無効」に設定されていることにより複数の流量区分の全てにおいてガスの遮断を行わず、つまり、複数の流量区分の全てにおいて継続使用時間が無制限になる。そして、この状態において、遮断手段によるガスの遮断について複数の流量区分のうちの一部の流量区分について「有効」とする要求があったとき、全部無効フラグが「要求有り」に設定されているので、上記一部の流量区分について個別設定フラグが「有効」に設定されて、遮断手段が、一部の流量区分について個別設定フラグが「有効」に設定されていることにより、当該一部の流量区分についてガスの遮断を行い、つまり、継続使用時間が制限され、他の流量区分については「無効」に設定されていることによりガスの遮断を行わず、つまり、継続使用時間が無制限になる。そのため、限定された流量区分だけが継続して使用される環境において、そのような流量区分以外の流量区分においては継続使用時間による遮断機能を有効として、より安全性を高めることができる。
【図面の簡単な説明】
【００１１】
【図１】本発明の一実施形態であるガスメータの概略構成図である。
【図２】図１のガスメータのマイコンが備えるＲＯＭに記憶された、ガスの流量区分に対応する使用時間遮断値を含む使用時間遮断値テーブルの一例を示す図である。
【図３】図１のガスメータのマイコンが備えるＲＡＭに記憶された、使用時間遮断値の種別を示す使用時間遮断値種別と、拡張２設定の要求があったことを示す拡張２設定フラグと、ガスの遮断について複数の流量区分毎に「有効」であるか又は「無効」であるかを示す、当該複数の流量区分毎に設けられた複数の個別設定フラグを含む個別設定フラグテーブルと、の一例を示す図である。
【図４】図１のガスメータのＣＰＵにより実行される拡張２設定処理の一例を示すフローチャートである。
【図５】図１のガスメータのＣＰＵにより実行される拡張２設定限定解除処理の一例を示すフローチャートである。
【図６】図１のガスメータのＣＰＵにより実行される遮断処理の一例を示すフローチャートである。
【図７】図４の拡張設定処理を実行した後のＲＡＭ５０に記憶された使用時間遮断値種別と拡張２設定フラグと個別設定フラグテーブルとの一例を示す図である。
【図８】図５の拡張設定処理を実行した後のＲＡＭ５０に記憶された使用時間遮断値種別と拡張２設定フラグと個別設定フラグテーブルとの一例を示す図である。
【発明を実施するための形態】
【００１２】
以下、本発明の一実施形態としてのガスメータについて、図１〜図８を参照して説明する。このガスメータ（図中、符号１で示す）は、図示しないガス管路を流れるガスの流量を計測する機能とともに、上述した使用時間遮断機能を有する。
【００１３】
図１は、本発明の一実施形態であるガスメータの概略構成図である。図２は、図１のガスメータのマイコンが備えるＲＯＭに記憶された、ガスの流量区分に対応する使用時間遮断値を含む使用時間遮断値テーブルの一例を示す図である。図３は、図１のガスメータのマイコンが備えるＲＡＭに記憶された、使用時間遮断値の種別を示す使用時間遮断値種別と、拡張２設定の要求があったことを示す拡張２設定フラグと、ガスの遮断について複数の流量区分毎に「有効」であるか又は「無効」であるかを示す、当該複数の流量区分毎に設けられた複数の個別設定フラグを含む個別設定フラグテーブルと、の一例を示す図である。
【００１４】
図１に示すように、ガスメータ１は、流量検出部１１と、遮断部１２と、マイクロコンピュータ（以下、マイコンという）２０と、を備えている。
【００１５】
流量検出部１１は、図示しないガス管路（即ち、ガス流路）を流れるガスの瞬時流量を計測することができる周知の超音波センサの流量センサなどからなる。なお、この超音波センサは、ガス管路中を伝搬する超音波信号の信号伝搬時間から瞬時流量を検出するものである。勿論、流量センサは、ガスの流量が計測可能なものであれば、例えば、フローセンサ式流量センサなどの他の計測方式のものを用いてもよい。流量検出部１１は、マイコン２０に接続されており、自律して周期的（例えば、１秒毎）にガスの瞬時流量を計測し、この計測した瞬時流量に応じた流量信号をマイコン２０に向けて出力する。なお、流量検出部１１は、マイコン２０からの計測要求信号に応じて、上記流量信号をマイコン２０に向けて出力するものであってもよい。
【００１６】
遮断部１２は、ガス管路に設置された遮断弁及びこの遮断弁を駆動する駆動回路などで構成されている。遮断部１２は、マイコン２０に接続されており、マイコン２０から出力される制御信号に応じて駆動回路が遮断弁を駆動してガス管路を開閉し、ガスの供給又は遮断を行う。遮断部１２は、遮断手段に相当する。
【００１７】
マイコン２０は、所定の処理プログラムに従って各種の処理を行いガスメータ１全体の制御を司るＣＰＵ３０と、ＣＰＵ３０が行う処理が記述された処理プログラムや各種判定値などを格納したＲＯＭ４０と、ＣＰＵ３０での各種処理過程で利用するワークエリア（各種データを格納するデータ記憶エリア等）を有するＲＡＭ５０と、ガスの継続使用時間等の計時に用いられるタイマ６０と、を備えている。タイマ６０は、継続使用時間計測手段に相当する。
【００１８】
ＲＯＭ４０には、全部無効設定手段、個別設定手段などの各種手段としてＣＰＵ３０を機能させる制御プログラムが格納されている。そして、ＣＰＵ３０は、この制御プログラムを実行することにより、上記各種手段として機能する。
【００１９】
また、ＲＯＭ４０には、図２に一例を示すように、ガス流量で区分された流量区分及び当該流量区分に対応する使用時間遮断値（下限値、上限値（警報器未接続、警報器接続））を含む使用時間遮断値テーブルＴ１が格納されている。なお、ガス流量に代えてガス消費量［ｋｇ／ｈ］を計測して、このガス消費量に基づいて使用時間遮断機能を実行してもよい。ガス消費量は、単位時間あたりに消費したガスの質量を示すものであるが、このガス消費量はガス流量と相関性があるため、ガス流量は広い意味でガス消費量を含む。ＲＯＭ４０は、使用時間遮断値記憶手段に相当する。
【００２０】
ＲＡＭ５０には、図３に一例を示すように、使用時間遮断値テーブルＴ１に含まれる使用時間遮断値のうち、ガスの遮断の判定に用いる使用時間遮断値の種別を示す使用時間遮断値種別Ｊ１と、ガスの遮断について複数の流量区分の全てにおいて無効とする要求があったことを示す拡張２設定フラグＪ２（全部無効フラグに相当する）と、が格納される領域が設けられている。また、ＲＡＭ５０には、ガスの遮断について複数の流量区分毎に「有効」であるか「無効」であるかを示す、当該複数の流量区分毎に設けられた複数の個別設定フラグを含む個別設定フラグテーブルＪ３、が格納される領域が設けられている。本実施形態では、ガスメータの起動直後の初期状態において、使用時間遮断値種別Ｊ１には、「上限値（警報器接続）」が設定されている。勿論、これ以外にも、ガスメータの構成等に応じて「下限値」、「上限値（警報器未接続）」又は上述した「下限値以下固定」などが設定されていてもよい。また、初期状態において、拡張２設定フラグＪ２には、「無し」（「要求無し」に相当する）が設定され、個別設定フラグテーブルＪ３には、全ての個別設定フラグについて「無効」が設定されている。ＲＡＭ５０は、全部無効フラグ記憶手段及び個別設定フラグ記憶手段に相当する。
【００２１】
また、マイコン２０は、ガス漏れ警報器及びガスメータ１の保守用端末装置が接続される図示しない外部インタフェースを備えている。マイコン２０は、外部インタフェースを介してガス漏れ警報器からガス漏れを検知した旨の電文を受信し、当該電文に応じて遮断部１２を制御してガスの遮断を行う。また、マイコン２０は、外部インタフェースを介して保守用端末装置から各種設定要求（拡張２設定要求、拡張２設定限定解除要求、及び、使用時間遮断値種別Ｊ１の変更を要求する使用時間遮断値種別変更要求など）の電文を受信し、当該電文に応じた処理を実行した後、当該電文の応答を保守用端末装置に送信する。または、保守用端末装置に代えて、通信網を介して保守センターに設置されている管理装置などに接続され、当該管理装置から送信された電文を処理するように構成されていてもよい。
【００２２】
以下、ＣＰＵ３０によって実行される処理の一例を、図４〜図６のフローチャート、及び、図７、図８のＲＡＭ５０に格納された各種情報を参照して説明する。
【００２３】
図４は、図１のガスメータのＣＰＵにより実行される拡張２設定処理の一例を示すフローチャートである。図５は、図１のガスメータのＣＰＵにより実行される拡張２設定限定解除処理の一例を示すフローチャートである。図６は、図１のガスメータのＣＰＵにより実行される遮断処理の一例を示すフローチャートである。図７は、図４の拡張設定処理を実行した後のＲＡＭ５０に記憶された使用時間遮断値種別と拡張２設定フラグと個別設定フラグテーブルとの一例を示す図である。図８は、図５の拡張設定処理を実行した後のＲＡＭ５０に記憶された使用時間遮断値種別と拡張２設定フラグと個別設定フラグテーブルとの一例を示す図である。
【００２４】
ガスメータ１が備えるマイコン２０のＣＰＵ３０は、ガスメータ１に電源が投入されると、例えば、流量検出部１１に対して自律動作のための制御信号の送信し、遮断部１２に対して遮断弁を開放するための制御信号を送信するなどの所定の初期化処理を実行したのち、拡張２設定処理、拡張２設定限定解除処理、遮断処理のそれぞれを周期的に実行する。
【００２５】
まず、拡張２設定処理について図４及び図７を参照して説明する。
【００２６】
拡張２設定処理に進むと、ＣＰＵ３０は、図示しない保守用端末装置から「拡張２設定要求」の電文を受信したか否かを判定する（Ｓ１１０）。当該電文を受信していなければ、そのまま拡張２設定処理を終了する（Ｓ１１０でＮ）。または、ＣＰＵ３０は、当該電文を受信していれば（Ｓ１１０でＹ）、図７に示すように、ＲＡＭ５０の拡張２設定フラグＪ２を「有り」（「要求有り」に相当する）に設定し（Ｓ１２０）、そして、個別設定フラグテーブルＪ３の全ての個別設定フラグを「無効」に設定するとともに、外部インタフェースを介して保守用端末装置に正常終了応答を送信したのち（Ｓ１３０）、拡張２設定処理を終了する。図７において、図３からの設定変更部分について太字で示してある。
【００２７】
次に、拡張２設定限定解除処理について図５及び図８を参照して説明する。
【００２８】
拡張２設定限定解除処理に進むと、ＣＰＵ３０は、図示しない保守用端末装置から「拡張２設定限定解除要求」の電文を受信したか否かを判定する（Ｔ１１０）。当該電文を受信していなければそのまま拡張２設定限定解除処理を終了する（Ｔ１１０でＮ）。または、ＣＰＵ３０は、当該電文を受信していれば（Ｔ１１０でＹ）、次に、拡張２設定フラグＪ２が「有り」であるか、即ち、それ以前に拡張２設定要求があったかを判定する（Ｔ１２０）。拡張２設定フラグＪ２が「有り」でなければ、外部インタフェースを介して保守用端末装置に未定義応答を送信して、拡張２設定限定解除処理を終了する（Ｔ１２０でＮ）。これにより、個別設定フラグテーブルＪ３はその内容が維持（変更無し）される。または、拡張２設定フラグＪ２が「有り」であれば（Ｔ１２０でＹ）、図８に示すように、上記電文に示された流量区分に対応する個別設定フラグを「有効」に設定するとともに、外部インタフェースを介して保守用端末装置に正常終了応答を送信したのち（Ｔ１３０）、拡張２設定限定解除処理を終了する。図８の例では、「拡張２設定限定解除要求」の電文に、流量区分４、６、７、１０、１２、１３について使用時間遮断機能を有効にすることを示す情報が含まれ、それらに対応する個別設定フラグが「無効」から「有効」に変更されたことを示す。図８において、図７からの設定変更部分について太字で示してある。
【００２９】
次に、遮断処理について、図６を参照して説明する。
【００３０】
遮断処理に進むと、ＣＰＵ３０は、流量検出部１１からの流量信号に基づいて、複数の流量区分のうちの現在の流量が含まれる流量区分を検知してするとともに、当該流量区分の継続使用時間をタイマ６０により計測する。そして、計測した継続使用時間が、使用時間遮断値テーブルＴ１に含まれる当該継続使用時間の流量区分の使用時間遮断値のうち使用時間遮断値種別Ｊ１に対応する使用時間遮断値（本実施形態においては、上限値（警報器接続））を超えたか否かを判定する（Ｕ１１０）。継続使用時間が当該使用時間遮断値を超えていなければ、遮断処理を終了する（Ｕ１１０でＮ）。または、継続使用時間が当該使用時間遮断値を超えていれば（Ｕ１１０でＹ）、個別設定フラグテーブルＪ３に含まれる当該継続使用時間の流量区分に対応する個別設定フラグが「有効」であるか否かを判定する（Ｕ１２０）。当該個別設定フラグが「有効」でない、即ち、「無効」であれば、その流量区分についてガスの遮断が無効化されているものとして、遮断処理を終了する（Ｕ１２０でＮ）．または、当該個別設定フラグが［有効］であれば、その流量区分について、ガスの遮断が有効（即ち、ガスの遮断を行う）なものとして、遮断部１２に対して制御信号を送信し（Ｕ１３０）、遮断部１２はこの制御信号に基づいて、ガスの遮断を行う。そして、遮断処理を終了する。
【００３１】
遮断処理の実例を挙げると、例えば、個別設定フラグテーブルＪ３が図８に示す状態にある場合に、流量区分３の継続使用時間が使用時間遮断値（上限値（警報器接続）である６００分を超えたとき（Ｕ１１０でＹ）、流量区分３に対応する個別設定フラグが「無効」であるためガスの遮断を行わない（Ｕ１２０でＮ）。また、上記場合に、流量区分４の継続使用時間が使用時間遮断値（上限値（警報器接続）である５２０分を超えたとき（Ｕ１１０でＹ）、流量区分４に対応する個別設定フラグが「有効」であるためガスの遮断を行う（Ｕ１２０でＹ、Ｕ１３０）。
【００３２】
上述した拡張２設定処理のステップＳ１２０及びＳ１３０を実行するＣＰＵ３０が、全部無効設定手段として機能し、上述した拡張２設定処理のステップＴ１２０及びＴ１３０を実行するＣＰＵ３０が、個別設定手段として機能する。
【００３３】
以上より、本実施形態によれば、ＲＡＭ５０には、遮断部１２によるガスの遮断について複数の流量区分の全てにおいて無効とする要求があったことを示す拡張２設定フラグＪ２が記憶される。ＲＡＭ５０には、遮断部１２によるガスの遮断について複数の流量区分毎に「有効」であるか又は「無効」であるかを示す、当該複数の流量区分毎に設けられた複数の個別設定フラグを含む個別設定フラグテーブルＪ３が記憶される。そして、全部無効設定手段が、遮断部１２によるガスの遮断について複数の流量区分の全てにおいて無効とする要求があったとき、拡張２設定フラグＪ２を「有り」に設定し、かつ、個別設定フラグテーブルＪ３に含まれる複数の個別設定フラグの全てを「無効」に設定する。個別設定手段が、遮断部１２によるガスの遮断について複数の流量区分のうちの一部の流量区分について「有効」とする要求があったとき、拡張２設定フラグＪ２が「有り」に設定されていれば、上記一部の流量区分について個別設定フラグを「有効」に設定し、拡張２設定フラグＪ２が「無し」に設定されていれば、複数の個別設定フラグの設定を変更せずに現状を維持する。そして、遮断部１２が、個別設定フラグが「有効」に設定されている流量区分についてのみガスの遮断を行う。
【００３４】
このようにしたことから、全ての流量区分において使用時間遮断機能を無効として継続使用時間を無制限とする要求（即ち、拡張２設定要求の電文）があったときに、当該要求があったことを示す拡張２設定フラグＪ２を「有り」に設定するとともに、複数の流量区分毎に設けられた、遮断部１２によるガスの遮断について複数の流量区分毎に「有効」であるか又は「無効」であるかを複数の個別設定フラグの全てを「無効」に設定するので、その後、遮断部１２が、個別設定フラグが「無効」に設定されていることにより複数の流量区分の全てにおいてガスの遮断を行わず、つまり、複数の流量区分の全てにおいて継続使用時間が無制限になる。そして、この状態において、遮断部１２によるガスの遮断について複数の流量区分のうちの一部の流量区分について「有効」とする要求（即ち、拡張２設定限定解除要求の電文）があったとき、拡張２設定フラグＪ２が「有り」に設定されているので、拡張２設定限定解除要求の電文に示される一部の流量区分について個別設定フラグが「有効」に設定されて、遮断部１２が、当該一部の流量区分について個別設定フラグが「有効」に設定されていることにより、当該一部の流量区分についてガスの遮断を行い、つまり、継続使用時間が制限され、他の流量区分については「無効」に設定されていることによりガスの遮断を行わず、つまり、継続使用時間が無制限になる。そのため、限定された流量区分だけが継続して使用される環境において、そのような流量区分以外の流量区分においては継続使用時間による遮断機能を有効として、より安全性を高めることができる。
【００３５】
なお、前述した実施形態は本発明の代表的な形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明のガスメータの構成を具備する限り、勿論、本発明の範疇に含まれるものである。
【符号の説明】
【００３６】
１      ガスメータ
１１    流量検出部
１２    遮断部（遮断手段）
２０    マイクロコンピュータ
３０    ＣＰＵ（全部無効設定手段、個別設定手段）
４０    ＲＯＭ（使用時間遮断値記憶手段）
５０    ＲＡＭ（全部無効フラグ記憶手段、個別設定フラグ記憶手段）
６０    タイマ（継続使用時間計測手段）
【図１】
2014240764.tif 000003
【図２】
2014240764.tif 000004
【図３】
2014240764.tif 000005
【図４】
2014240764.tif 000006
【図５】
2014240764.tif 000007
【図６】
2014240764.tif 000008
【図７】
2014240764.tif 000009
【図８】
2014240764.tif 000010